(57)【要約】【課題】バッグインボックスの内袋において、内容液に対する品質保持性と、スパウトと袋体の融着性と、スパウトの耐衝撃性を確保する。【解決手段】バッグインボックス１の袋体１０を外層フィルム１１と内層フィルム１２の二重袋構造とする。袋体１０の注出用開口１０ｃにスパウト２０を設ける。外層フィルム１１の外面層とスパウト２０を同一材質にて構成し、好ましくはポリエチレン等のポリオレフィンにて構成する。かつスパウト２０を外面層に外側から融着する。好ましくは、内層フィルム１２の内面層１２ｂを、外面層の材質よりも内容液９に対する品質保持性が高いポリエチレンテレフタレートにて構成する。【選択図】図３
2018052583.tif 000002
【特許請求の範囲】
【請求項１】
バッグインボックスにおける内袋であって、
内容液を収容する袋室と注出用開口が形成された袋体と、
前記注出用開口に設けられたスパウトと、を備え、
前記袋体が、外部に面する外面層を有する外層フィルムと、前記袋室に面する内面層を有する内層フィルムとを含み、
前記外面層と前記スパウトとが同一材質にて構成され、かつ前記スパウトが、前記外面層に外側から融着されていることを特徴とするバッグインボックス用内袋。
【請求項２】
前記内面層の材質が、前記外面層の材質よりも内容液に対する品質保持性が高いことを特徴とする請求項１に記載の内袋。
【請求項３】
前記スパウト及び前記外面層が、ポリオレフィンにて構成され、
前記内面層が、ポリエチレンテレフタレートにて構成されていることを特徴とする請求項１又は２に記載の内袋。
【発明の詳細な説明】
【技術分野】
【０００１】
本発明は、バッグインボックスの内袋に関し、特に外層フィルム及び内層フィルムを有する二重袋構造ないしは多重袋構造の内袋に関する。
【背景技術】
【０００２】
バッグインボックスは、外箱と内袋を備え、外箱に内袋が収容されている。内袋には例えば飲料水や液体調味料等の内容液が充填されている。内袋は、袋体と、スパウトを含む。袋体は、内容液の確実な漏れ防止のために、外側の外層フィルムと、内側の内層フィルムとの二重袋構造になっている。袋体の注出用開口にスパウトが取り付けられている。スパウトは、筒状のスパウト本体と、フランジ状のベース部を有している。スパウト本体が、袋体の内側から注出用開口に通されて外部へ突出されている。かつ、ベース部が、内層フィルムの内面に宛がわれて融着（ヒートシール）されている。融着用のシールバーは、外層フィルムの外側から注出用開口の周縁部に押し当てられる。
【０００３】
通常、スパウトの材質としては、材料コスト等の観点からポリエチレン（ＰＥ）が用いられている。内層フィルムの材質としては、スパウトとの融着性を確保するために、スパウトと同じポリエチレン（ＰＥ）が用いられている。
【先行技術文献】
【特許文献】
【０００４】
【特許文献１】特開２０１１−０２３５９３号公報（［００１７］、［００２１］）
【発明の概要】
【発明が解決しようとする課題】
【０００５】
前掲の従来の内袋においては、内層フィルムの材質がＰＥであるために、飲料水等の内容液に匂いや味が移り、内容液の品質が損なわれるおそれがあった。
内容液の品質維持のために、内層フィルムの材質としてＰＥＴを採用することも考えられるが、その場合、スパウトがＰＥ製のままでは、スパウトと内層フィルムとの融着が困難になる。融着性を確保するためには、スパウトの材質をもＰＥＴにする必要がある。しかし、ＰＥＴ製のスパウトは、ＰＥ製のものと比べて材料コストが嵩むだけでなく、衝撃力に弱く、例えば１〜２ｍ程度の高さから落とすと破損するおそれがある。
本発明は、前記事情に鑑み、バッグインボックスの内袋において、内容液に対する品質保持性と、スパウトと袋体の融着性と、スパウトの耐衝撃性の３つの性能を確保し、好ましくは材料コストを抑えることを目的とする。
【課題を解決するための手段】
【０００６】
前記課題を解決するために、本発明はバッグインボックスにおける内袋であって、
内容液を収容する袋室と注出用開口が形成された袋体と、
前記注出用開口に設けられたスパウトと、を備え、
前記袋体が、外部に面する外面層を有する外層フィルムと、前記袋室に面する内面層を有する内層フィルムとを含み、
前記外面層と前記スパウトとが同一材質にて構成され、かつ前記スパウトが、前記外面層に外側から融着されていることを特徴とする。
【０００７】
当該バッグインボックス用内袋においては、内層フィルムの内面層とスパウトとの材質同一性は要求されない。したがって、内層フィルムの内面層及びスパウトの材質の選択自由度を高めることができる。前記内面層の材質としては、例えば内容液に対する品質保持性が高いものを選択することによって、内容液の品質劣化を招くのを防止できる。スパウトの材質としては、前記内面層の材質に拘束されることなく、耐衝撃性、材料コスト等を考慮して選択できる。かつ外層フィルムの少なくとも外面層とスパウトを同一材質とすることによって、スパウトを外面層に確実に融着させることができる。
【０００８】
前記内面層の材質が、前記外面層の材質よりも内容液に対する品質保持性が高いことが好ましい。
これによって、内容液の品質劣化を確実に防止できる。品質保持性とは、匂いや味が内容液に移りにくく内容液の品質が劣化しにくい性質を言う。言い換えると、材質中の成分が内容液中に溶出したり、内容液と反応したりしにくい性質を言う。
【０００９】
前記スパウト及び前記外面層が、ポリオレフィンにて構成されていることが好ましい。
前記内面層が、ポリエチレンテレフタレートにて構成されていることが好ましい。
ポリオレフィンとしては、ポリエチレン（ＰＥ）、ポリプロピレン（ＰＰ）等が挙げられる。スパウト及び外面層の材質としてポリエチレン等のポリオレフィンを用いることによって、材料コストを低廉化できる。かつ、内面層の材質としてポリエチレンテレフタレート（ＰＥＴ）を用いることによって、内容液の品質劣化を確実に防止できる。
【発明の効果】
【００１０】
本発明に係るバッグインボックスの内袋によれば、内容液に対する品質保持性と、スパウトと袋体の融着性と、スパウトの耐衝撃性を確保することができる。
【図面の簡単な説明】
【００１１】
【図１】図１は、本発明の第１実施形態に係るバッグインボックスの斜視図である。
【図２】図２は、前記バッグインボックスの内袋の正面図である。
【図３】図３は、前記内袋の注出部の断面図である。
【図４】図４は、図３の円部ＩＶを拡大して示す断面図である。
【図５】図５は、前記内袋の製造工程を示す断面図である。
【図６】図６は、本発明の第２実施形態を示し、図４相当の断面図である。
【発明を実施するための形態】
【００１２】
以下、本発明の実施形態を図面にしたがって説明する。
図１は、バッグインボックス１を示したものである。バッグインボックス１は、外箱２と、内袋３を備えている。外箱２に内袋３が収容されている。図２に示すように、内袋３は、袋体１０と、スパウト２０を含む。袋体１０は、外側の袋状の外層フィルム１１と、内側の袋状の内層フィルム１２との二重袋構造になっている。袋状の外層フィルム１１の内部に袋状の内層フィルム１２が入れ子状に収容されている。外層フィルム１１と内層フィルム１２との間には、フィルム間隙間１０ｂが形成されている。内層フィルム１２の内部に袋室１０ａが画成されている。袋室１０ａに内容液９が充填される。内容液９は、例えば飲料水や液体調味料等であるが、本発明がこれらに限られるものではない。
【００１３】
図３及び図４に示すように、外層フィルム１１は、単一材質の単層フィルムにて構成されている。この単層フィルムが袋状に成形されている。外層フィルム１１の外面１１ｅ（外面層）が、内袋３の外部に面している。外層フィルム１１ひいては外面層の材質は、好ましくはポリオレフィンであり、より好ましくはポリエチレン（ＰＥ）である。
なお、外層フィルム１１には、主成分のＰＥ等の他、添加成分や不可避的不純成分が含まれていてもよい。
【００１４】
図４に示すように、内層フィルム１２は、第２外面層１２ａと、第２内面層１２ｂを含む積層フィルムにて構成されている。第２外面層１２ａが外層フィルム１１の内面１１ｄと対面し、第２内面層１２ｂ（内面層）が袋室１０ａに面している。
【００１５】
第２外面層１２ａは、外層フィルム１１との融着性の観点から外層フィルム１１と同じ材質にて構成されていることが好ましい。ここでは、第２外面層１２ａは、ポリエチレン（ＰＥ）にて構成されている。
なお、第２外面層１２ｂには、主成分のＰＥの他、添加成分や不可避的不純成分が含まれていてもよい。
【００１６】
第２内面層１２ｂの材質は、内容液９に対する品質保持性が外層フィルム１１の材質よりも高いことが好ましい。つまり、匂いや味が内容液９に移りにくいものであることが好ましい。言い換えると、材質中の成分が内容液９中に溶出したり、内容液９と反応したりしにくいことが好ましい。ここでは、第２内面層１２ｂは、ポリエチレンテレフタレート（ＰＥＴ）にて構成されている。
なお、第２内面層１２ｂには、主成分のＰＥＴの他、前記品質保持性が確保される限りにおいて添加成分や不可避的不純成分が含まれていてもよい。
【００１７】
第２外面層１２ａと第２内面層１２ｂとの間には、接着層１２ｃが介在されている。接着層１２ｃによって第２外面層１２ａと第２内面層１２ｂとが接着されている。
【００１８】
図２に示すように、袋体１０の例えば上面部には、注出用開口１０ｃが形成されている。注出用開口１０ｃにスパウト２０が取り付けられている。袋体１０の注出用開口１０ｃの周縁部とスパウト２０とが、ヒートシール部３ｓを介して一体に接合されている。
【００１９】
スパウト２０の材質は、融着性の観点から外層フィルム１１と同一材質であることが好ましい。ここでは、スパウト２０は、ポリエチレン（ＰＥ）にて構成されている。
なお、スパウト２０には、主成分のＰＥの他、添加成分や不可避的不純成分が含まれていてもよい。
【００２０】
図３に示すように、スパウト２０は、スパウト本体２１と、ベース部２４を含む。スパウト本体２１は、筒状に形成されている。スパウト本体２１の中間部に中間フランジ２２が設けられている。図２に示すように、スパウト本体２１は、袋体１０から外方へ突出されている。更に図１に示すように、スパウト本体２１は、外箱２から突出され、かつキャップ４にて塞がれている。
【００２１】
図３に示すように、スパウト本体２１の基端部（袋体１０を向く端部）には、ベース部２４が設けられている。ベース部２４は、スパウト本体２１から径方向外方へ突出された環状のフランジ状になっている。
【００２２】
図３及び図４に示すように、スパウト２０のベース部２４が、注出用開口１０ｃの周縁部の外層フィルム１１の外面１１ｅに重ねられている。かつ、ベース部２４の底面部（図４において下側部）が、外層フィルム１１の外面１１ｅと融着（ヒートシール）されている。
更に、注出用開口１０ｃの周縁部において、外層フィルム１１の内面１１ｄと内層フィルム１２の第２外面層１２ａとが融着（ヒートシール）されている。
これらベース部２４と外層フィルム１１と内層フィルム１２の融着部分によって、ヒートシール部３ｓ（図２）が構成されている。
【００２３】
内袋３は、次のようにして製造される。
外層フィルム１１と内層フィルム１２を重ねて袋体１０を作製する。
図５に示すように、袋体１０の注出用開口１０ｃの周縁部にスパウト２０のベース部２４を外側（図５において上側）から宛がう。
また、シールバー５を袋体１０の内側（図５において下側）から注出用開口１０ｃの周縁部に宛がう。これによって、袋体１０の注出用開口１０ｃの周縁部を、スパウト２０とシールバー５とで挟む。
そして、シールバー５によって、袋体１０とスパウト２０を融着する。シールバー５の加熱温度は、ポリエチレン（ＰＥ）の融点程度（例えば９０℃〜１２０℃）でよい。これによって、注出用開口１０ｃの周縁部において、外層フィルム１１とスパウト２０とを融着できるとともに、外層フィルム１１と内層フィルム１２の第２外面層１２ａとを融着できる。
【００２４】
本発明形態の内袋３においては、内層フィルム１２の第２内面層１２ｂとスパウト２０との材質同一性は要求されない。したがって、第２内面層１２ｂ及びスパウト２０の材質の選択自由度を高めることができる。
第２内面層１２ｂの材質としては、外層フィルム１１よりも内容液９に対する品質保持性が高いＰＥＴ等を選択することができ、これによって、内容液９の品質劣化を招くのを防止できる。
スパウト２０の材質としては、第２内面層１２ｂの材質に拘束されることなく、安価で耐衝撃性が高いポリエチレン（ＰＥ）等を選択できる。したがって、落下等による衝撃荷重で破損するのを防止又は抑制できる。
一方、外層フィルム１１とスパウト２０とを同一材質とすることによって、スパウト２０を外層フィルム１１に確実に融着させることができる。しかも、これら外層フィルム１１及びスパウト２０の材質として比較的低融点のＰＥを選択することによって、容易に融着させることができる。
この結果、内容液９に対する品質保持性と、スパウト２０と袋体１０の融着性と、スパウト２０の耐衝撃性の３つの性能を共に確保することができ、更に製品コストを抑えることができる。
【００２５】
次に、本発明の他の実施形態を説明する。以下の実施形態において既述の形態と重複する構成に関しては、図面に同一符号を付して説明を省略する。
図６に示すように、第２実施形態においては、外層フィルム１１が積層フィルム構造になっている。詳しくは、外層フィルム１１は、第１外面層１１ａ（外面層）と、第１内面層１１ｂと、バリア層１１ｃ（機能層）とを有している。第１外面層１１ａが、内袋３の外部に面している。第１外面層１１ａは、ポリエチレン（ＰＥ）にて構成されている。第１内面層１１ｂは、内層フィルム１２に面している。第１内面層１１ｂは、第１外面層１１ａと同じく、ポリエチレン（ＰＥ）にて構成されている。
なお、第１外面層１１ａと第１内面層１１ｂの材質が異なっていてもよい。第１外面層１１ａ及び第１内面層１１ｂには、主成分のＰＥの他、添加成分や不可避的不純成分が含まれていてもよい。
【００２６】
第１外面層１１ａと第１内面層１１ｂとの間にバリア層１１ｃが挟まれている。バリア層１１ｃは、ＥＶＯＨ（エチレン−ビニルアルコール共重合体）にて構成されている。バリア層１１ｃによって、酸素や水蒸気等の気体が袋室１０ａへ透過するのを阻止できる。
【００２７】
注出用開口１０ｃの周縁部における第１外面層１１ａに、スパウト２０のベース部２４が、外側（図６において上側）から宛がわれて融着されている。第１外面層１１ａとスパウト２０を同一材質にて構成することによって、これらを確実に融着させることができる。
また、注出用開口１０ｃの周縁部において、外層フィルム１１の第１内面層１１ｂと、内層フィルム１２の第２外面層１２ａとが融着されている。第１内面層１１ｂと第２外面層１２ａを同一材質にて構成することによって、これらを確実に融着させることができる。
【００２８】
本発明は、前記実施形態に限られず、その趣旨を逸脱しない範囲内で種々の改変をなすことができる。
例えば、外層フィルム１１の外面層１１ｅ，１１ａが、ポリプロピレン（ＰＰ）等の、ＰＥ以外のポリオレフィンにて構成されていてもよい。
スパウト２０が、ポリプロピレン（ＰＰ）等の、ＰＥ以外のポリオレフィンにて構成されていてもよい。
袋体１０が、３つ以上のフィルムを重ねた多重袋構造であってもよい。この場合、最も外側のフィルムが外層フィルム１１を構成し、最も内側のフィルムが内層フィルム１２を構成する。
【産業上の利用可能性】
【００２９】
本発明は、例えば飲料水や液体調味料等の液状内容物を収容するバッグインボックスに適用可能である。
【符号の説明】
【００３０】
１          バッグインボックス
３          内袋
３ｓ        ヒートシール部
９          内容液
１０        袋体
１０ａ      袋室
１０ｃ      注出用開口
１１        外層フィルム
１１ａ      第１外面層（外面層）
１１ｅ      外層フィルムの外面（外面層）
１２        内層フィルム
１２ｂ      第２内面層（内面層）
２０        スパウト
【図１】
2018052583.tif 000003
【図２】
2018052583.tif 000004
【図３】
2018052583.tif 000005
【図４】
2018052583.tif 000006
【図５】
2018052583.tif 000007
【図６】
2018052583.tif 000008